(57)【要約】      （修正有）【課題】平常時は発電設備を備えた待合所として、災害時には防災活動の拠点として、多目的に使用することができる多機能待合所を提供する。【解決手段】平面視で矩形状の太陽光発電モジュールを備える屋根部材１と、太陽光発電モジュールで発電された電気で充電可能な蓄電池を収納する蓄電池用収納部を備える第１収納ユニット１２１と、座面を有するベンチとして利用可能な第２収納ユニット１２２と、第１及び第２透明壁１１１、１１２と、床部材９と、を備える。第１収納ユニットと第１透明壁とは、出入口のための空間を隔てて配置され、第１透明壁と第２透明壁とは、共通支柱部３Ｃを介して直角をなすように接続される。【選択図】図１Ａ
0003199590.tif 000002
【実用新案登録請求の範囲】
【請求項１】
平面視で矩形状の屋根部材と、第１及び第２収納ユニットと、第１及び第２透明壁と、床部材と、を備える多機能待合所であって、
前記屋根部材は太陽光発電モジュールと外枠とを含み；
前記屋根部材の外枠は、遮蔽部材を取り付けるための複数の貫通孔を含み；
前記第１収納ユニットは、
前記屋根部材を支持する第１枠部材と、
前記太陽光発電モジュールで発電された電気で充電可能な蓄電池を収納する蓄電池用収納部と、を備え；
前記床部材は、前記矩形の平面視面積と同等の表面積を有し；
前記第２収納ユニットは、座面を有するベンチとして利用可能であり；
前記第１収納ユニットと前記第１透明壁とは、出入口のための空間を隔てて配置されており；
前記第１透明壁は、
前記屋根部材を支持する第２枠部材と、
前記第２枠部材に嵌め込まれた第１透明部材と、を備え；
前記第２透明壁は、
前記屋根部材を支持する第３枠部材と、
前記第３枠部材に嵌め込まれた第２透明部材と、を備え；
前記第１透明部材と前記第２透明部材とは、前記第２枠部材と前記第３枠部材とにおける共通支柱部を介して直角をなすように接続される、
多機能待合所。
【請求項２】
前記第１及び前記第２収納ユニット、及び、前記第１及び前記第２透明壁とともに前記屋根部材を支持する少なくとも１つの支柱部材を更に備える、ことを特徴とする請求項１に記載の多機能待合所。
【請求項３】
前記太陽光発電モジュールは、単位太陽光発電モジュールである両面発電セルを含んで構成されている、ことを特徴とする請求項１又は２に記載の多機能待合所。
【請求項４】
前記単位太陽光発電モジュールは、ガラスのバックシートを備えるフレームレス構造を有するものである、ことを特徴とする請求項１〜３のいずれかに記載の多機能待合所。
【請求項５】
前記外枠は、前記単位太陽光発電モジュールを固定するための固定部をさらに備え、前記固定部は前記外枠に一体成形されている、ことを特徴とする請求項１〜４のいずれかに記載の多機能待合所。
【請求項６】
前記単位太陽光発電モジュールは、前記外枠の固定部にシーラントを介して固定される、ことを特徴とする請求項１〜５のいずれかに記載の多機能待合所。
【請求項７】
前記第１収納ユニットには、災害対応自動販売機、自動体外式除細動器、災害用トイレ組み立てセット、防護用具、救急救助用具及び工具箱からなる群から選ばれる少なくとも１つ以上のものがさらに収納されている、ことを特徴とする請求項１〜６に記載の多機能待合所。
【請求項８】
前記第１収納ユニットの前記多機能待合所の内部空間側に表示面が露出され、前記蓄電池の電力を利用するデジタルサイネージ用表示装置をさらに備える、ことを特徴とする請求項１〜７のいずれかに記載の多機能待合所。
【請求項９】
前記第１収納ユニットは、前記蓄電池に接続される携帯情報端末充電装置をさらに備える、ことを特徴とする、請求項１〜８のいずれかに記載の多機能待合所。
【請求項１０】
前記第２収納ユニットには、災害用トイレキット、災害用救急用品、及びテントセットからなる群から選ばれる少なくとも１以上の災害用品が収納されている、ことを特徴とする請求項１〜９のいずれかに記載の多機能待合所。
【請求項１１】
前記テントセットは、シート状遮蔽部材、前記シート状遮蔽部材を前記複数の貫通孔に取り付けるための所定の部材と、を含むことを特徴とする、請求項１０に記載の多機能待合所。
【請求項１２】
前記複数の貫通孔は、前記外枠に４０ｃｍ〜６０ｃｍ間隔で設けられている、ことを特徴とする請求項１〜１１のいずれかに記載の多機能待合所。
【請求項１３】
前記シート状遮蔽部材は、
前記外枠に所定の部材で取り付けるための取り付け部と；
隣接するシート状遮蔽部材と着脱自在に接着するための接着部と；
前記外枠の前記複数の貫通孔に、所定の部材で取り付けられたときに所定の大きさの面積で地面に接地する裾部と；
を備え、前記多機能待合所の周囲全面を覆うように構成されており、
少なくとも１枚のシート状遮蔽部材は、通気を確保するための空気流通部と、開閉自在な出入口を備えている、ことを特徴とする請求項１〜１２のいずれかに記載の多機能待合所。
【請求項１４】
前記所定の部材は、カラビナであることを特徴とする、請求項１３に記載の多機能待合所。
【請求項１５】
前記シート状遮蔽部材は、防炎加工が施された部材である、ことを特徴とする請求項１３又は１４に記載の多機能待合所。
【請求項１６】
前記取り付け部は、取り付け部材を取り付けるための複数のハトメ加工部を含んで構成され；
前記空気流通部はメッシュ素材で構成され；
前記裾部は、風による巻き上がり防止手段をさらに有する、
ことを特徴とする請求項１２〜１５のいずれかに記載の多機能待合所。
【請求項１７】
前記裾部の風による巻き上がり防止手段は、重りを取り付けるためのハトメ加工部で構成されるか、又は棒状の重りを固定するための複数の紐状部材もしくはヘムで構成されている、ことを特徴とする請求項１６に記載の多機能待合所。
【請求項１８】
前記接着部は、面ファスナで構成されており；
前記少なくとも１つの開閉自在な出入口は、スライドファスナで構成されており；
前記出入口を形成する弁状部材を巻き上げて固定する出入口形成部をさらに含む；
ことを特徴とする請求項１３〜１７のいずれかに記載の多機能待合所。
【請求項１９】
前記遮蔽部材は、厚みが０．３〜０．７ｍｍの布帛で構成され、
前記遮蔽部材には、それぞれ異なる組み立て用目印が付されて構成されている、ことを特徴とする、請求項１３〜１８のいずれかに記載の多機能待合所。
【請求項２０】
前記床部材は、白色コンクリート、白煉瓦ブリック、明色のタイル、砕石舗装、明色舗装、及びコンクリート又は舗装によって形成した駐車面への明色有機塗料の塗布からなる群から選ばれる材料で形成される、ことを特徴とする請求項１〜１９のいずれかに記載の多機能待合所。
【請求項２１】
通信装置をさらに、備えることを特徴とする、請求項１〜２０のいずれかに記載の多機能待合所。
【請求項２２】
前記多機能待合所の屋根部材の内側に取り付けられ、前記蓄電池から給電されるＬＥＤ照明器具を、さらに備えることを特徴とする、請求項１〜２１のいずれかに記載の多機能待合所。
【考案の詳細な説明】
【技術分野】
【０００１】
本考案は、発電設備を備えた多機能待合所に関する。より詳細には、平常時は、発電設備を備えた多機能待合所として使用することができ、災害時には防災活動の拠点（以下、「防災拠点」ということがある。）として使用することができる多機能待合所に関する。
【背景技術】
【０００２】
家電製品の普及、パーソナルコンピューター、スマートホン及び携帯電話等、家庭内の電化が進んでいる。また、石油の消費量を減らし、二酸化炭素の排出量を減少させる観点から、プラグイン−ハイブリッドカーや電気自動車等も普及しつつある。また、家庭内の照明は、消費電力の少ないＬＥＤに交換されつつあるが、ある程度の電力供給は欠かせないのが現状である。
【０００３】
このため、太陽電池セルを住宅の屋根やカーポートの屋根に設置して、発電するという技術が提案されている（特許文献１：以下、「従来例１」という。）。また、駅から離れた場所に設置されているバス停留所やタクシー乗り場、近隣家屋から離れたカーポート等のように、周囲に照明がなく特に照明が必要とされる場所で、夜間照明を得るために、ソーラーパネル（以下、「太陽電池パネル」ということがある。）を、屋根に設置した構造体をこうした場所に設置して、夜間照明を得るという考案が提案されている（特許文献２：以下、「従来例２」という。）。
【０００４】
一方で、大きな震災があると停電が起こり、日常生活に支障をきたすことはすでに経験済みである。また、災害時には、対策活動の拠点となる場所が必要とされること、そしてそうした場所には、照明、通信設備等が使用できる状態で設置されることが必要である。
また、避難者が、一時的にではあっても風雨を凌ぐことができるスペースを確保するとともに、情報を収集できる場所も必要とされる。特に、気温が低い季節、例えば、秋の終わり、冬場、春先等に災害が起きた場合には、寒さをしのぐことは、生命を維持する上で極めて重要である。
【先行技術文献】
【特許文献】
【０００５】
【特許文献１】特開平８−１９１９３号公報
【特許文献１】特開２０１４−２３１７３２号公報
【考案の概要】
【考案が解決しようとする課題】
【０００６】
従来例１は、簡単かつ安全に設置できる太陽光発電システムを提供し、この発電システムを有効利用できるようにするという点では優れた考案である。しかし、従来例１では、平常時の発電のみが考慮されており、災害時に太陽光発電システムを利用することについては考慮されていない。
【０００７】
また、従来例２は、電源として、一定量の光が透過するようなソーラーパネル（以下、「太陽電池パネル」ということがある。）を用い、昼間に発電した電力をバッテリーに蓄え、夜間に利用することができるという構造物を提供するという点では優れた発明である。しかし、従来例２でも、照明という、比較的電力消費量の少ない装置のみが対象とされており、従来例１と同様に、災害時に太陽光発電システムを利用することについては考慮されていない。
【０００８】
このため、平常時には、待合所として利用することができるとともに、災害発生時には、多目的に利用できる構造物に対する強い社会的要請があった。すなわち、災害対策活動の拠点として利用でき、避難者が情報を収集することができるとともに、寒さや風雨を凌ぐことができるといった幾つかの用途で利用できる構造物に対する強い社会的要請があった。
【課題を解決するための手段】
【０００９】
本考案は、上記のような課題を解決するために考案されたものである。すなわち、本考案は、平面視で矩形状の屋根部材と、第１及び第２収納ユニットと、第１及び第２透明壁と、床部材と、を備える多機能待合所であって、前記屋根部材は太陽光発電モジュールと外枠とを含み；前記屋根部材の外枠は、遮蔽部材を取り付けるための複数の貫通孔を含み；前記第１収納ユニットは、前記屋根部材を支持する第１枠部材と、前記太陽光発電モジュールで発電された電気で充電可能な蓄電池を収納する蓄電池用収納部と、を備え；前記床部材は、前記矩形の平面視面積と同等の表面積を有し；前記第２収納ユニットは、座面を有するベンチとして利用可能であり；前記第１収納ユニットと前記第１透明壁とは、出入口のための空間を隔てて配置されており；前記第１透明壁は、前記屋根部材を支持する第２枠部材と、前記第２枠部材に嵌め込まれた第１透明部材と、を備え；前記第２透明壁は、前記屋根部材を支持する第３枠部材と、前記第３枠部材に嵌め込まれた第２透明部材と、を備え；前記第１透明部材と前記第２透明部材とは、前記第２枠部材と前記第３枠部材とにおける共通支柱部を介して直角をなすように接続される；多機能待合所である。
【００１０】
ここで、前記第１及び前記第２収納ユニット、及び、前記第１及び前記第２透明壁とともに前記屋根部材を支持する少なくとも１つの支柱部材を更に備えるようにすることができる。また、前記太陽光発電モジュールは、単位太陽光発電セルである両面発電セルを含んで構成されているようにすることができる。そして、前記単位太陽光発電セルは、ガラスのバックシートを備えるフレームレス構造を有するものを使用することが好ましい。そして、また、前記単位太陽光発電セルは、前記外枠の固定部にシーラントを介して固定されるようにすることができる。
【００１１】
前記第１収納ユニットには、災害対応自動販売機、自動体外式除細動器（Automated External Defibrillator, 以下、「AED」ということがある）、災害用トイレ組み立てセット、防護用具、救急救助用具及び工具箱からなる群から選ばれる少なくとも１つ以上のものがさらに収納されるようにすることができる。また、前記第１収納ユニットの前記多機能待合所の内部空間側に表示面が露出され、前記蓄電池の電力を利用するデジタルサイネージ用表示装置をさらに備えるようにすることができる。前記第１収納ユニットは、前記蓄電池に接続される携帯情報端末充電装置をさらに備えるようにすることができる。
【００１２】
前記第２収納ユニットには、災害用トイレキット、災害用救急用品、及びテントセットからなる群から選ばれる少なくとも１以上の災害用品が収納されるようにすることができる。前記テントセットは、シート状遮蔽部材、前記シート状遮蔽部材を前記複数の貫通孔に取り付けるための所定の部材と、を含むことが好ましい。
【００１３】
また、前記複数の貫通孔は、前記外枠に４０ｃｍ〜６０ｃｍ間隔で設けられていることが好ましい。ここで、前記シート状遮蔽部材は、前記外枠に所定の部材で取り付けるための取り付け部と；隣接するシート状遮蔽部材と着脱自在に接着するための接着部と；前記外枠の前記複数の貫通孔に、所定の部材で取り付けられたときに所定の大きさの面積で地面に接地する裾部と；を備え、前記多機能待合所の周囲全面を覆うように構成されており、少なくとも１枚のシート状遮蔽部材は、通気を確保するための空気流通部と、開閉自在な出入口を備えるようにすることができる。
【００１４】
前記所定の部材は、カラビナであることを特徴とし、前記シート状遮蔽部材は、防炎加工が施された部材であることが好ましい。さらにまた、前記シート状遮蔽部材の前記取り付け部は、取り付け部材を取り付けるための複数のハトメ加工部を含んで構成され；前記空気流通部はメッシュ素材で構成され；前記裾部は、風による巻き上がり防止手段をさらに有するようにすることができる。
【００１５】
前記シート状遮蔽部材の前記裾部の風による巻き上がり防止手段は、重りを取り付けるためのハトメ加工部で構成されるか、又は棒状の重りを固定するための複数の紐状部材もしくはヘムで構成されていることが好ましい。
【００１６】
前記接着部は、面ファスナで構成されており；前記少なくとも１つの開閉自在な出入口は、スライドファスナで構成されており；前記出入口を形成する弁状部材を巻き上げて固定する出入口形成部をさらに含む；ようにすることができる。
【００１７】
前記シート状遮蔽部材は、ポリアミド系繊維、ポリイミド系繊維、及び炭素繊維からなる群から選ばれる布帛であり、防炎加工がされていることが好ましい。ここで、前記シート状遮蔽部材 は、厚みが０．３〜０．７ｍｍの布帛で構成され、前記シート状遮蔽部材には、それぞれ異なる組み立て用目印が付されて構成されていることが好ましい。
【００１８】
前記床部材は、白色コンクリート、白煉瓦ブリック、明色のタイル、砕石舗装、明色舗装、及びコンクリート又は舗装によって形成した駐車面への明色有機塗料の塗布からなる群から選ばれる材料で形成される、ことが好ましい。
【００１９】
前記多機能待合所は、通信装置をさらに備えることを特徴とする。また、前記多機能待合所の屋根部材の内側に取り付けられ、前記蓄電池から給電される照明器具７を、さらに備えることを特徴とする。
【考案の効果】
【００２０】
本考案によれば、平常時には、バス停、タクシー乗り場等に設置された待合所として利用することができ、また、喫煙コーナーとして利用することもでき、災害発生時には、防災拠点として種々の目的に利用できる多機能待合所が提供される。また、本考案の多機能待合所は、避難者が種々の情報を収集することができ、寒さや風雨を凌ぐことができる避難場所として使用できるとともに、災害対策活動の拠点としても利用できる構造物を、簡便かつ速やかに提供することができる。
【図面の簡単な説明】
【００２１】
【図１Ａ】図１Ａは、本考案の多機能待合所１０の全体構造を示す斜視図である。
【図１Ｂ】図１Ｂは、バスが停車したときの本考案の多機能待合所１０の正面図である。
【図１Ｃ】図１Ｃは、バスが停車したときの本考案の多機能待合所１０の上面図である。また、１は屋根部材、６９は太陽光発電モジュールを示す。
【図２Ａ】図２Ａは、第１収納ユニット１２１の構成を示す図である。
【図２Ｂ】図２Ｂは、第１収納ユニット１２１と第２収納ユニット１２２との位置関係を示す図である。図中、３１は及び３Ｃは第１透明壁１１１を構成する枠部材を示す。
【図２Ｃ】図２Ｃは、第２透明壁１１２を示す図である。
【図３】図３は、上記多機能待合所１０の枠部材２に、所定の部材４０でシート状遮蔽部材３０１〜３０４を取り付けた状態を示す斜視図である。
【００２２】
【図４】図４は、屋根部材１を構成する上記太陽光発電モジュール６９を示す図である。
【図５】図５は、屋根部材１を構成する上記太陽光発電モジュール６９を支持する外枠２を示す断面図である。図中、６は支持部材、８はシーラント、５０はデジタル表示板、６０は単位太陽光発電セル（モジュール）をそれぞれ示す。
【図６】図６は、単位太陽光発電セルを示す図である。図６（Ａ）は、本考案の多機能待合所１０の屋根材に使用する単位太陽光発電セル６０の一方の表面６０ｆを示す上面図であり、図６（Ｂ）は、上記単位太陽光発電セル６０の他方の表面６０ｒを示す底面図である。図６（Ｃ）は、上記単位太陽光発電セル６０の構造を示す断面図である。
【００２３】
【図７】図７は、上記シート状遮蔽部材に取り付ける組み立て用目印Ｓを示す図である。図７（Ａ）及び（Ｄ）のＳＬ及びＳＲは、それぞれ本考案の多機能待合所の左側面及び右側面に取り付ける遮蔽部材であることを示す。また、図７（Ｂ）及び（Ｃ）のＳＢは背面（図１（Ｃ）に示す多機能待合所１０の道路に面した面）に、ＳＦは正面（図１（Ｃ）に示す多機能待合所１０の道路とは反対側の面）に取り付ける遮蔽部材であることを示す。
【図８】図８は、上記シート状遮蔽部材３０１〜３０４を取り付けるための所定の取り付け部材４０の形状を示す図である。図８（Ａ）は上記取り付け部材４０が閉じた状態を、また、図８（Ｂ）は、上記取り付け部材４０が開いた状態を示す図である。
【考案を実施するための形態】
【００２４】
以下に本考案を、図面を参照しつつ、さらに詳細に説明する。なお、同一の部材には同一の番号を付し、重複した説明を省略する。
本考案の多機能待合所１０は、図１に示すように、（１）平面視で矩形状の屋根部材１と、（２）第１及び第２収納ユニット（１２１,１２２）と、（３）第１及び第２透明壁（４１,４２）と、（４）床部材９と、を備えている。上記多機能待合所１０は、（５）不図示の通信装置と、（６）前記多機能待合所の屋根部材１の内側に取り付けられ、前記蓄電池から給電されるＬＥＤ照明器具７とをさらに備える構造とすることが好ましい。
【００２５】
ここで、図１Ａ〜Ｃ（以下、集合的に「図１」という。）、図４及び図６に示すように、前記屋根部材１は、（１ａ）太陽光発電モジュール６９と、（１ｂ）前記太陽光発電モジュール６９を保持する外枠２とを含んで構成されている。前記太陽光発電モジュール６９は、ガラスのバックシート（ガラス基板６２）を備えるフレームレス構造のものであり、図６に示すような単位太陽光発電セル６０（両面発電セル６０）を含んで構成されている。このため、本考案の多機能待合所１０において、床部材９を、白色系の薄い色にすると、反射光によって前記太陽光発電モジュール６９の発電効率が高くなる。こうした白色系の床部材９は、例えば、白色ポルトランドセメント、白煉瓦ブリック、明色のタイル、砕石舗装、明色舗装、及びコンクリートで形成した駐車面への明色有機塗料の塗布からなる群から選ばれる材料で形成することができる。
【００２６】
ここで、「白色ポルトランドセメント」とは、ポルトランドセメント中に含まれる酸化第二鉄（Ｆｅ２Ｏ３：着色成分）をできる限り含まないようにし、顔料等を加えて任意に着色しやすいようにしたものをいう。白煉瓦ブリックとは、白色又は白色に近い薄い色のレンガ（ブリック）をいう。明色のタイルとは、薄い色のタイルをいう。また、こうした素材以外に、琉球石灰岩、白っぽい色の溶岩石等も使用することができる。
【００２７】
屋根部材１は、図１に示すように、（２ａ）第１収納ユニット１２１、並びに（２ｂ）第１透明壁１１１及び第２透明壁１１２で支持されている。なお、屋根部材１を支持するために、少なくとも１つの支柱部材をさらに設けるようにすることもできる。そして、前記屋根部材１には、前記太陽光発電モジュール６９が図１Ｃに示す状態で配置されている。
【００２８】
ここで、図２Ａに示す前記第１収納ユニット１２１は、少なくとも、前記屋根部材１を支持する第１枠部材と、前記太陽光発電モジュール６９で発電された電気で充電可能な蓄電池を収納する蓄電池用収納部とを備えるように構成されている。また、図２Ｂに示す前記第１透明壁１１１は、前記屋根部材１を支持する支柱部３１及び共通支柱部３Ｃに、第１透明部材４１がに挟みこまれた構成となっている。図２Ｃに示す前記第２透明壁１１２は、前記屋根部材１を支持する支柱部３２及び共通支柱部３Ｃに第２透明部材４２が挟みこまれた構成となっている。
【００２９】
そして、（３ａ）前記第１透明壁１１１及び（３ｂ）第２透明壁１１２は、図１に示すように、共通支柱部３Ｃを介して、直角をなすように接続されている。また、前記第１及び第２透明部材４１,４２はいずれも、強化ガラス、合わせガラスその他のガラス、ポリカーボネート等の強度の高いプラスチック等を使用することが、安全面から好ましい。
【００３０】
図２Ａに示す第１収納ユニット１２１には、災害対応自動販売機、自動体外式除細動器、災害用トイレ組み立てセット、防護用具、救急救助用具及び工具箱からなる群から選ばれる少なくとも１つ以上のものがさらに収納されていることが、災害への対応を迅速かつ的確に行う上で好ましい。ここで蓄電池としては、マクセル、エレボックス、パナソニック等から発売されている種々の市販の蓄電池を挙げることができる。
【００３１】
また、災害対応自動販売機とは、大地震などの大規模な災害が起こったときに、遠隔地からの無線操作により自動販売機内の飲料を無償で提供できる機能（フリーベンド機能）が搭載されている自動販売機をいう。例えば、日本コカ・コーラ（株）と全国１２のボトラー社等からなる企業体であるコカ・コーラシステム（以下、「コカ・コーラシステム」ということがある。）が、設置先の自治体等との間に締結する災害支援協定に基づいて共同で設置している自動販売機、及びアサヒ飲料（株）、サントリービバレッジサービス（株）、キリンビバレッジ（株）等が設置している自動販売機がこれに当たる。この機能により、災害時等に上記自動販売機のボタンを押せば、自動販売機内に残っている飲料がどれでも無料で入手できるようになる。また、上記自動販売機は電光掲示板機能も備えているため、災害時には災害情報を提供することもできるようになっている。
【００３２】
上記自動体外式除細動器（ＡＥＤ）は、心室細動という不整脈を起こして、血液を全身に送ることができない状態に陥った人の心臓の状態を正常に戻すために使用される装置である。また、災害用トイレ組み立てセットとしては、例えば、ダイカ災害用トイレシステム（ダイカポリマー（株））や防災貯留型仮設トイレシステム（積水化学工業（株））その他のマンホールトイレを挙げることができる。
本考案の第１収納ユニットには、こうした収納品のうち、少なくとも１つが収納されていればよいが、すべてが収納されていることが災害に的確に対処する上で好ましい。
【００３３】
また、前記防護用具としては、市販のヘルメット、軍手、防塵マスク、ヘッドランプ、防塵ゴーグル等を挙げることができる。前記救急救助用具としては、救急セット、冷熱遮断アルミシート、レスキューシート、クレモナロープ、ブルーシート、バケツ、水タンクマッチ、ライター等を挙げることができる。前記工具箱としては、ハンマー、バール、万能斧、のこぎり等の大型の工具を入れた工具箱、モンキーレンチ、プライヤー、ガムテープ等の小型の工具を入れた小さな工具箱等を挙げることができる。これら以外に、案内誘導用の簡易メガホン、拡声器、誘導灯等を収納するようにしてもよい。
【００３４】
また、前記多機能待合所の内側となる前記第１収納ユニット１２１は、前記蓄電池の電力を利用するデジタルサイネージ用表示装置１４をさらに備えるものであることが、災害対応を的確に行うための情報収集ができることから好ましい。ここで、デジタルサイネージとは、屋外・店頭・公共空間・交通機関など、あらゆる場所で、ネットワークに接続したディスプレイなどの電子的な表示機器を使って情報を発信するシステムの総称である。ネットワーク対応機を使用すると、デジタル通信を介して、地域に対応した種々の情報を受信し、表示することができる。
【００３５】
前記第２収納ユニット１２２は、座面を有するベンチとして利用することができるように構成されている。前記第２収納ユニット１２２には、災害用トイレキット、災害用救急用品、及びテントセットからなる群から選ばれる少なくとも１以上の災害用品が収納されているようにすることが、災害への対応を迅速かつ的確に行う上で好ましい。
【００３６】
ここで、災害用トイレキットとは、水洗トイレが使用できなくなった場合に使用する災害用トイレセットをいい、例えば、非常時に持ち出し可能なトイレキット用バッグに、１枚ずつ引き出すことができるし尿を収納するためのエマージェンシートイレ袋；回収したし尿を固める凝固剤ポリマー；除菌ジェル；明りを確保するためのダイナモライト；ポップアップ式ゴミ箱1個；トイレットペーパー；生理用ナプキン等を収容した市販のキットを挙げることができる。
【００３７】
そして、前記テントセットは、図３に示すように、シート状遮蔽部材３０１〜３０４、前記シート状遮蔽部材３０１〜３０４を前記複数の貫通孔に取り付けるための所定の部材４０と、を含むものであることが、多機能待合所を災害拠点として使用する上で好ましい。なお、上記の防護用具、救急救助用具及び工具箱は、前記第２収納ユニット１２２に収納するようにしてもよい。
【００３８】
図１及び図３に示すように、外枠２に形成された複数の貫通孔２Ｈは、前記シート状遮蔽部材３０１〜３０４を取り付けるために使用される。前記複数の貫通孔２Ｈの間隔を、４０ｃｍ〜６０ｃｍとすると、２つの貫通孔２Ｈの中央部分あたりで上記シート状遮蔽部材３０１〜３０４がたるみ、隙間ができることを防止することができる。これによって、遮蔽部材で遮蔽された内部の温度を適切に保つことができる。
【００３９】
前記シート状遮蔽部材３０ｎ（ｎ＝１〜４）のそれぞれは、（４ａ）前記外枠２に所定の部材で取り付けるための取り付け部３０Ａと；（４ｂ）隣接する遮蔽部材３０２及び３０４と着脱自在に接着するための接着部３４と；（４ｃ）前記外枠２の前記複数の貫通孔２Ｈに、所定の部材で取り付けられたときに所定の大きさの面積で地面に接地する裾部３０ｈと；（４ｄ）通気を確保するための空気流通部と；（４ｅ）開閉自在な出入口３６とを備えている。そして、図３に示すように、シート状遮蔽部材３０ｎで、前記多機能待合所の周囲全面を隙間なく覆うことができるようになっている。本明細書中、出入口３６が設けられた面を正面とする。
【００４０】
各シート状遮蔽部材３０ｎは、複数のハトメ加工部を含む上記の取り付け部３０Ａを備えている。このハトメ加工部は、上述した枠材に設けられた貫通孔２Ｈと同一の間隔になるように設けられている。そして、所定の取り付け部材４０、例えば、図８に示すようなカラビナを使用して取り付けるようにすると、片手で環を開くことができるため、簡便に取り付け、又は取り外しをすることができる。こうした取り付け部材としては、例えば、カラビナ（オールタイプ用）（合同会社ＡＰＵＫＵ製）が、強度も十分であり、遮蔽部材の取り付けの際に、遮蔽部材を傷つけることがない点で好ましい。
【００４１】
なお、上記シート状遮蔽部材３０ｎには、取り付け場所の確認を容易にするために、図７（Ａ）〜（Ｄ）に示すような組み立て用目印Ｓが所定の場所に取り付けられている。この組み立て用目印Ｓは、上記シート状遮蔽部材３０ｎの展開図として表されている。本発明の多機能待合所の両側面（ＳＬ,ＳＲ；屋根部材の短辺方向）、正面及び背面（ＳＦ,ＳＢ；屋根部材の長手方向）に取り付けるシート状遮蔽部材には、図７（Ａ）〜（Ｄ）に示す図形がそれぞれ取り付けられており、各シートをどこに取り付ければよいかが一目でわかるようになっている。
【００４２】
具体的に言えば、上記シート状遮蔽部材３０ｎに取り付けられた組み立て用目印Ｓの中で、黒く塗りつぶされている図形が、例えば、シート状遮蔽部材３０ｎを取り付ける場所を指定するようになっている。例えば、展開図の最も左側の台形が黒く塗りつぶされている組み立て用目印ＳＬ（図７（Ａ））が取り付けられているシート状遮蔽部材３０１は、上記多機能待合所の左側の側面（第１収納ユニットの背面側）に取り付けることが示されている。
【００４３】
図３に示すように、上記シート状遮蔽部材３０ｎは、正面及び背面用が同じ大きさとなり、両側面用もそれぞれ同じ大きさとなる。それぞれの遮蔽部材には、互いをつなぐための面ファスナが取り付けられているが、この組み立て用目印Ｓの指示に従えば、正面用にシート状遮蔽部材を側面に取り付けたり、複数のシート状遮蔽部材をつなぎ間違えるといったことが起こらず、シート状遮蔽部材３０ｎを、多機能待合所１０に、簡易、迅速かつ適切に取り付けることができる。
【００４４】
さらに、上記シート状遮蔽部材３０ｎは大きな一枚の部材としては構成されていないため、上記外枠２から取り外した後に、少人数で速やかに折りたたみ、コンパクトに収納することが可能となっている。
【００４５】
また、上記多機能待合所１０の周囲を覆うシート状遮蔽部材３０ｎの少なくとも１つには、開閉自在な出入口３６が設けられている。なお、通気を確保するための空気流通部（図示せず）を設けるようにしてもよい。上記の空気流通部と出入口３６とは、同じ遮蔽部材に設けられていてもよく、別々の遮蔽部材に設けられていてもよい。
【００４６】
ここで、前記空気流通部は、シート状遮蔽部材３０ｎを上記外枠２に取り付けたときに、外枠２に近い上部にメッシュ素材で形成される。そして、前記シート状遮蔽部材３０ｎは、こうした位置に、空気流通部を設けることにより、煙等をここから逃がすこともできるようになる。上記シート状遮蔽部材３０ｎは、防炎加工がされた部材で構成されているため、シート状遮蔽部材３０ｎで上記多機能待合所１０を覆った場合でもその内部でストーブを使用する際にも安全が確保される。なお、本発明の多機能待合所の中に、簡易トイレを設置することもできる。
【００４７】
また、上記出入口３６は、スライドファスナで形成されている。上記出入口３６を設けることによって、シート状遮蔽部材３０ｎを取り付けた多機能待合所内に、簡易かつ速やかに出入りすることが可能となる。また、上記出入口３６をスライドファスナで開閉可能とすることによって、出入口３６をしっかりと閉じることが可能となり、隙間風等の吹込みを防止することもできる。なお、前記出入口３６は、図３（Ａ）に示すように両側のスライドファスナを開くことにより、弁状部材となる。このため、この弁状部材を巻き上げて固定し、出入口３６を形成することもできるようになっている（図示せず）。
【００４８】
前記シート状遮蔽部材３０ｎは、図３（Ａ）に示すように、上述したカラビナ等の取り付け部材４０を用いて、このシート状遮蔽部材３０ｎを上記外枠２に設けられた貫通孔２Ｈに取り付けたときに、所定の大きさの面積で地面に接地する裾部３０ｈを有している。このため、接地面とシート状遮蔽部材３０ｎとの間に隙間は形成されず、外気の侵入を防ぐことができるようになっている。
【００４９】
また、前記裾部３０ｈは、風による巻き上がりを防止する巻き上がり防止手段をさらに有している。上記巻き上がり防止手段は、ハトメ加工部を設けて、上記ハトメ加工部に所望の重さの重りを取り付けるようにしてもよい。または、複数の紐状部材もしくはヘムを形成して、棒状の重り（例えば、鉄の棒）等を挿し込めるようにしてもよい。
【００５０】
前記シート状遮蔽部材は、ポリアミド系繊維、ポリイミド系繊維、及び炭素繊維からなる群から選ばれる布帛であることが上部で風雨を遮断する性能が高いことを特徴とするから好ましく、防炎加工がされていることがさらに好ましい。また、厚みは、０．３〜０．７ｍｍであることが、風雨当業者の遮断、保温効果の点から好ましい。
【００５１】
また、本考案の多機能待合所では、蓄電池用収納部１６に収納された蓄電池ＢＴにデジタルサイネージ用表示装置が接続されているおり、平常時には、バスのダイヤや運行情報を表示することができるようになっている。
【００５２】
災害時に停電が起きた場合でも、蓄電池に蓄えられた電力を使用することにより、タイムリーに交通情報や災害情報等を表示することができるようになっている。さらに、上記蓄電池ＢＴに充電器を接続することにより、携帯電話、スマートホン等の小型の電子機器等を充電することができる。
【００５３】
とりわけ、本考案の、太陽光発電モジュール６９は、両面発電セル６０を用いて構成されているために発電効率が高く、蓄電量もある程度までは大きくすることができる。これによって、デジタルサイネージの表示を継続することや、スマートホン等の急速充電もできるようになっている。
【００５４】
そして、図５に示すように、前記太陽光発電モジュール６９を保持する外枠２には、前記単位太陽光発電セル６０を固定するための固定部が設けられており、前記固定部は外枠２に一体成形されている。そして、前記外枠２、前記枠部材は同一の材料で構成することが、錆の発生等による強度の低下を防止する上で好ましい。前記外枠２の材料は、鉄、不燃木材、圧縮木材からなる群から選ばれるものであることが、本願考案に係る多機能待合所１０の強度、耐震性、難燃性といった防災の観点からみて好ましい。また、前記外枠２を、さらにグラファイトで塗装することとすると、前記外枠２を鉄で構成した場合に防錆効果が発揮され、強度をより長く保つことができる。
【００５５】
図６に示す前記単位太陽光発電セル６０は、上述した通りにフレームレス構造であるから、図５に示すように、前記外枠２の固定部にシーラント８を介して固定される。このようなシーラントしては、特に限定されないが、シリコーン系シーラントであるＰＶシーラント（信越ポリマー（株））等を好適に使用することができる。
【００５６】
フレームレス構造の単位太陽光発電セル６０は、フレーム付きのものと比べて小型で軽量である。このため、フレームレス構造の上記モジュールを使用することによって、屋根部材の軽量化を図ることができる。また、同じ面積により多くのモジュールを設置することが可能となるから、デザインの多様性と発電効率の向上を図ることができる。
【００５７】
以上のような構成とすることにより、本考案の多機能待合所では、電線に接続する必要がない。このため、これまで、電線を引けないという理由で設置することができなかった場所にも、本発明の多機能待合所を設置することができるようになっている。
【００５８】
また、充放電コントローラを使用することにより、上記のように発電されて得られた電力を効率よく使用することが可能となる。例えば、発電された電力を、ＤＣ２４Ｖ−１２８Ｖの蓄電池ＢＴに蓄えるようにすることができる。上記蓄電池ＢＴに充電器（例えば、１６Ｗｈ程度のもの）をつなぐことにより、複数のスマートホン等を普通充電又は急速充電することもできる。
【００５９】
また、本考案の多機能待合所は、屋根部材に設置した太陽光発電モジュール６９に影をつくらないような位置にアンテナを取り付けることにより通信が可能となる（図示せず）。そして、蓄電池ＢＴと接続しておくことにより、かなりの期間に渡って電源を確保することができる。
【００６０】
さらに、本考案の多機能待合所は、その内外に防犯用の装置を取り付け又は収納するようにすることができる。例えば、携帯電話から発信されるシグナルを感知できるビーコンを上述したいずれかの収納ユニット内に収納しておくことにより、ある特定の人が上記多機能待合所の近くをいつごろ通ったか通らなかったか等を確認することができ、防犯上有用な情報を提供することができる。市販の防犯カメラ等の防犯グッズを、この多機能待合所の内外の適当な場所に取り付けるようにしてもよい。
【００６１】
このため、前記固定部の太陽光発電モジュールの固定部に使用された部分とは反対側、すなわち、屋根部材１の外側に、デジタル表示部を取り付けて、余震、気象情報、医療支援を受けられる場所等の種々の情報を提供できるようにすることもできる。また、屋根部材１の梁にＬＥＤ等での照明を取り付けることもできるため、夜間の作業を行うこともできる。これによって、災害が発生した時には、災害対策の拠点としても使用することができるようになっている。
【００６２】
以上のような構成とすることにより、本考案の多機能待合所は、災害時には、防災拠点として使用できるようになっている。さらに、本考案の多機能待合所は、１以上の多機能待合所をつないで拡張することができる。これによって、必要に応じて、災害拠点のスペースを拡張することもできるようになっている。
【産業上の利用可能性】
【００６３】
本考案は、公共交通の停留所の技術分野及び防災の技術分野において有用である。
【符号の説明】
【００６４】
１…屋根部材
２…外枠
２Ｈ…貫通孔
３１,３２…枠部材
４１,４２…透明部材
６…単位太陽発電モジュールの取り付け部
７…照明器具
８…シーラント
９…床部材
１０…多機能待合所
１１１,１１２…第１及び第２透明壁
１２１,１２２…第１及び第２収納ユニット
１４…デジタルサイネージ用表示装置
３０１〜３０４…シート状遮蔽部材
３０Ａ…取り付け部
３０ｈ…裾部
３４…接着部
３６…出入口
４０…取り付け部材
６０…単位太陽光発電セル
６２…ガラス基板
６９…太陽光発電モジュール
ＢＴ…蓄電池
Ｓ…組み立て用目印
【図１Ａ】
0003199590.tif 000003
【図１Ｂ】
0003199590.tif 000004
【図１Ｃ】
0003199590.tif 000005
【図２Ａ】
0003199590.tif 000006
【図２Ｂ】
0003199590.tif 000007
【図２Ｃ】
0003199590.tif 000008
【図３】
0003199590.tif 000009
【図４】
0003199590.tif 000010
【図５】
0003199590.tif 000011
【図６】
0003199590.tif 000012
【図７】
0003199590.tif 000013
【図８】
0003199590.tif 000014
【手続補正書】
【提出日】平成27年6月26日(2015.6.26)
【手続補正１】
【補正対象書類名】実用新案登録請求の範囲
【補正対象項目名】全文
【補正方法】変更
【補正の内容】
【実用新案登録請求の範囲】
【請求項１】
平面視で矩形状の屋根部材と、第１及び第２収納ユニットと、第１及び第２透明壁と、床部材と、を備える多機能待合所であって、
前記屋根部材は太陽光発電モジュールと外枠とを含み；
前記屋根部材の外枠は、遮蔽部材を取り付けるための複数の貫通孔を含み；
前記第１収納ユニットは、
前記屋根部材を支持する第１枠部材と、
前記太陽光発電モジュールで発電された電気で充電可能な蓄電池を収納する蓄電池用収納部と、を備え；
前記床部材は、前記矩形の平面視面積と同等の表面積を有し；
前記第２収納ユニットは、座面を有するベンチとして利用可能であり；
前記第１収納ユニットと前記第１透明壁とは、出入口のための空間を隔てて配置されており；
前記第１透明壁は、
前記屋根部材を支持する第２枠部材と、
前記第２枠部材に嵌め込まれた第１透明部材と、を備え；
前記第２透明壁は、
前記屋根部材を支持する第３枠部材と、
前記第３枠部材に嵌め込まれた第２透明部材と、を備え；
前記第１透明部材と前記第２透明部材とは、前記第２枠部材と前記第３枠部材とにおける共通支柱部を介して直角をなすように接続される、
多機能待合所。
【請求項２】
前記第１及び前記第２収納ユニット、及び、前記第１及び前記第２透明壁とともに前記屋根部材を支持する少なくとも１つの支柱部材を更に備える、ことを特徴とする請求項１に記載の多機能待合所。
【請求項３】
前記太陽光発電モジュールは、単位太陽光発電モジュールである両面発電セルを含んで構成されている、ことを特徴とする請求項１又は２に記載の多機能待合所。
【請求項４】
前記単位太陽光発電モジュールは、ガラスのバックシートを備えるフレームレス構造を有するものである、ことを特徴とする請求項３に記載の多機能待合所。
【請求項５】
前記外枠は、前記単位太陽光発電モジュールを固定するための固定部をさらに備え、前記固定部は前記外枠に一体成形されている、ことを特徴とする請求項３又は４に記載の多機能待合所。
【請求項６】
前記単位太陽光発電モジュールは、前記外枠の固定部にシーラントを介して固定される、ことを特徴とする請求項３〜５のいずれかに記載の多機能待合所。
【請求項７】
前記第１収納ユニットには、災害対応自動販売機、自動体外式除細動器、災害用トイレ組み立てセット、防護用具、救急救助用具及び工具箱からなる群から選ばれる少なくとも１つ以上のものがさらに収納されている、ことを特徴とする請求項１〜６のいずれかに記載の多機能待合所。
【請求項８】
前記第１収納ユニットの前記多機能待合所の内部空間側に表示面が露出され、前記蓄電池の電力を利用するデジタルサイネージ用表示装置をさらに備える、ことを特徴とする請求項１〜７のいずれかに記載の多機能待合所。
【請求項９】
前記第１収納ユニットは、前記蓄電池に接続される携帯情報端末充電装置をさらに備える、ことを特徴とする、請求項１〜８のいずれかに記載の多機能待合所。
【請求項１０】
前記第２収納ユニットには、災害用トイレキット、災害用救急用品、及びテントセットからなる群から選ばれる少なくとも１以上の災害用品が収納されている、ことを特徴とする請求項１〜９のいずれかに記載の多機能待合所。
【請求項１１】
前記テントセットは、シート状遮蔽部材、前記シート状遮蔽部材を前記複数の貫通孔に取り付けるための所定の部材と、を含むことを特徴とする、請求項１０に記載の多機能待合所。
【請求項１２】
前記複数の貫通孔は、前記外枠に４０ｃｍ〜６０ｃｍ間隔で設けられている、ことを特徴とする請求項１〜１１のいずれかに記載の多機能待合所。
【請求項１３】
前記シート状遮蔽部材は、
前記外枠に所定の部材で取り付けるための取り付け部と；
隣接するシート状遮蔽部材と着脱自在に接着するための接着部と；
前記外枠の前記複数の貫通孔に、所定の部材で取り付けられたときに所定の大きさの面積で地面に接地する裾部と；
を備え、前記多機能待合所の周囲全面を覆うように構成されており、
少なくとも１枚のシート状遮蔽部材は、通気を確保するための空気流通部と、開閉自在な出入口を備えている、ことを特徴とする請求項１１又は１２に記載の多機能待合所。
【請求項１４】
前記所定の部材は、カラビナであることを特徴とする、請求項１３に記載の多機能待合所。
【請求項１５】
前記シート状遮蔽部材は、防炎加工が施された部材である、ことを特徴とする請求項１３又は１４に記載の多機能待合所。
【請求項１６】
前記取り付け部は、取り付け部材を取り付けるための複数のハトメ加工部を含んで構成され；
前記空気流通部はメッシュ素材で構成され；
前記裾部は、風による巻き上がり防止手段をさらに有する、
ことを特徴とする請求項１３〜１５のいずれかに記載の多機能待合所。
【請求項１７】
前記裾部の風による巻き上がり防止手段は、重りを取り付けるためのハトメ加工部で構成されるか、又は棒状の重りを固定するための複数の紐状部材もしくはヘムで構成されている、ことを特徴とする請求項１６に記載の多機能待合所。
【請求項１８】
前記接着部は、面ファスナで構成されており；
前記少なくとも１つの開閉自在な出入口は、スライドファスナで構成されており；
前記出入口を形成する弁状部材を巻き上げて固定する出入口形成部をさらに含む；
ことを特徴とする請求項１３〜１７のいずれかに記載の多機能待合所。
【請求項１９】
前記遮蔽部材は、厚みが０．３〜０．７ｍｍの布帛で構成され、
前記遮蔽部材には、それぞれ異なる組み立て用目印が付されて構成されている、ことを特徴とする、請求項１３〜１８のいずれかに記載の多機能待合所。
【請求項２０】
前記床部材は、白色コンクリート、白煉瓦ブリック、明色のタイル、砕石舗装、明色舗装、及びコンクリート又は舗装によって形成した駐車面への明色有機塗料の塗布からなる群から選ばれる材料で形成される、ことを特徴とする請求項１〜１９のいずれかに記載の多機能待合所。
【請求項２１】
通信装置をさらに、備えることを特徴とする、請求項１〜２０のいずれかに記載の多機能待合所。
【請求項２２】
前記多機能待合所の屋根部材の内側に取り付けられ、前記蓄電池から給電されるＬＥＤ照明器具を、さらに備えることを特徴とする、請求項１〜２１のいずれかに記載の多機能待合所。